(57)【特許請求の範囲】
【請求項１】
任意の位置から電話サービスを提供する方法であって、
メインステーション（ＭＳ）が、有線パワーへの接続を検出したときに、サーバーを呼び出すステップと、
前記メインステーションから、前記メインステーションの移動識別番号を前記サーバーに送信するステップと、
前記メインステーションにサービスしているジャックにサービスする交換器から、前記ジャックの来入発呼ライン識別（ＩＣＬＩＤ）を前記サーバーに送信するステップと、
前記サーバーが、前記ジャックの電話番号を前記メインステーションの電話番号にサービスしている有線ホーム交換器に送信するステップと、
前記ホーム交換器から、前記メインステーションの電話番号に対する入来呼を前記メインステーションにサービスする前記ジャックの電話番号に自動的に転送するステップとを有することを特徴とする方法。
【請求項２】
前記サーバーが前記ＩＣＬＩＤを受領しないときには、前記メインステーションに対し前記電話番号を提供するよう要求する指示を前記サーバーから前記メインステーションに送信するステップをさらに有することを特徴とする請求項１記載の方法。
【請求項３】
前記指示の受領に応答して、前記メインステーションは前記電話番号を前記サーバーに与えることを特徴とする請求項２記載の方法。
【請求項４】
前記メインステーションにおいて、前記有線パワーが存在しないことを検出することによって前記メインステーションがプラグインされていないときを検出するステップと、
前記メインステーションが無線登録手順を開始するステップと、
前記登録に応答して、前記メインステーションへの呼を前記メインステーションの隠れたセルラ電話番号に転送するよう、前記メインステーションにサービスするホーム位置登録装置（ＨＬＲ）から前記ホーム交換器に通知するステップをさらに有することを特徴とする請求項１記載の方法。
【請求項５】
前記メインステーションは、前記ホーム交換器によりサービスされる有線電話番号と、前記メインステーションがメインステーションに電力が与えられているが有線端末には接続されていないときに、前記メインステーションを呼び出すための隠れたセルラ電話番号とを有することを特徴とする請求項１記載の方法。
【発明の詳細な説明】
【０００１】
【発明の属する技術分野】
本発明は、通信サービスのローミングを提供する方法に関する。
【０００２】
【従来の技術】
無線セルラ通信サービスのローミングは非常にポピュラーで幅広く利用されているサービスである。このローミングサービスにより、ユーザはセルラの電話を受けることができ、そして自分のホーム位置から離れた場所においても電話をかけることができる。この種のサービスを可能とする高級なインフラが構築されている。このインフラは、メインステーション（Main Station（ＭＳ））のホーム位置登録（Home Location Register（ＨＬＲ））とユーザのホーム移動交換器センタ（Mobile Switching Center（ＭＳＣ)）と、顧客がホームＭＳＣのサービス領域外にいるときには顧客にサービスするＭＳＣに関連するビジター位置登録（Visitor Location Register（ＶＬＲ)）とを有する。
【０００３】
顧客が遠隔地にあるＭＳＣに登録されている場合には、ＶＬＲがその顧客に割当てられ、顧客のＨＬＲにこの割当てとＶＬＲの識別子が通知される。ローミング中のＭＳへの呼びは、最初ホームのＭＳＣに経路指定され、被呼されているＭＳＣのＨＬＲとＶＬＲに問い合わせて、呼びをＭＳにサービスしている遠隔地のＭＳＣに経路指定する。
【０００４】
【発明が解決しようとする課題】
この従来技術における問題点は、この割当ては無線局に対しては満足すべきものであるが、有線のサービスを選ぶ顧客に対し入出力サービスを提供する問題点を解決するものではない。その理由は、一般的にホームの有線交換器から離れている間は遙かに安価であるため、あるいは無線信号が弱いような領域に顧客がいるためである。
【０００５】
【課題を解決するための手段】
本発明者等は、この様々な問題を解析した。その結果、本発明によるユニバーサルメインステーション（Universal Main Station（ＵＭＳ））は、ワイヤレスステーションとしても機能でき、かつ有線交換器へのローカルループを介して接続されたジャックにプラグイン（接続）でき、これにより有線メインステーションとして動作できる。このようなＵＭＳは、そのＵＭＳのホームのジャック以外のジャックにプラグインされるとサーバーへの接続が確立され、このサーバーがＵＭＳにより送信された移動識別番号を受領する。
【０００６】
ジャックのオーナーの電話番号が、来入発呼ライン識別子（Incoming Calling Line Identifier（ＩＣＬＩＤ））メッセージを介して自動的に転送されない場合には、ＵＭＳのユーザはサーバによりその電話番号（ディレクトリ）を提供するようプロンプトされる。その後サーバーは、ＵＭＳの電話番号への全ての呼びをＵＭＳがプラグインされるジャックの所有者の電話番号に転送するようホーム有線交換器に通知する。
【０００７】
ＵＭＳがジャックにプラグインされていない場合には、ＵＭＳはワイヤレスＭＳに自動的になり。かつセルラシステムの公知の方法で自動的に登録する。ＵＭＳは有線の電話番号以外に、隠れたセルラ電話番号を有し、ＵＭＳへの全ての来入呼びは、そのステーションがワイヤレスモードにあるときには、自動的にホームの有線交換器に最初は転送され、その後セルラ交換器がＵＭＳとしてサービスしているものに転送され、そしてこの転送はワイヤレスステーションとして機能するＵＭＳの隠れた電話番号を用いて行われる。
【０００８】
この構成により１つのメインステーションを、有線ステーションあるいは無線ステーションとして用いることができ、さらにこれによりこのメインステーションは有線公衆交換電話ネットワーク（Public Switched Telephone Network（ＰＳＴＮ)）内のどのジャックにもプラグインすることができ、メインステーションがいる場所に到達可能である。
【０００９】
【発明の実施の形態】
図１は本発明の基本的構成を表すブロック図である。ユニバーサルメインステーション（ＵＭＳ）１は通常ホーム地上線交換器１０に接続されているが、ライン９を介して遠隔地上線交換器１２に接続されたジャックにプラグインすることができる。このＵＭＳはまた有線サービスから切り離すことができ、かつ例えばまた遠隔移動交換センタ（ＭＳＣ）１３から無線リンク１９を介してサービスを受けることができ、通常の動作環境の元ではホーム地上線交換器１０からプラグインされていない場合には、ホーム移動交換器センタ１１によりサービスされる。ＵＭＳ１は、ＵＭＳ１内のジャックに接続されたチップリードとリングリード上の４８Ｖのパワーの存在を検出する地上線検出器５２を有する。
【００１０】
ＵＭＳ１は、このようなステーション用のマイクロプロセッサを含む高級セルラ電話器である。マイクロプロセッサはプログラムを搭載している。さらにまたＵＭＳ１はハイブリッド５４を有し、その結果ＵＭＳ１は地上線の交換器からの２線のワイヤ信号と、基地局と通信するための無線信号からの４線信号を受領する。ＵＭＳが有線ジャックにプラグインされると、地上線検出器５２は４８Ｖのパワーの存在を検出して自動的に登録手続きを開始する。この自動的な登録手続きは、例えば「８００」番により到達したサーバー３０への呼びを含む（これは１−８００−ＣＡＬＬ−ＡＴＴをダイヤルすることによりＡＴ＆Ｔのオペレータサービスに到達する構成と類似である）。
【００１１】
ＵＭＳは、その移動識別番号あるいはＵＭＳ内に記憶された識別番号をサーバーに出力する。さらにまたこのサーバーは、来入発呼ライン識別子（ＩＣＬＩＤ）メッセージにより電話機がプラグインされたジャックの電話番号を受領する。このメッセージが存在しない場合には（ジャックの所有者がＩＣＬＩＤ信号を停止している場合、あるいは遠隔の有線交換器がＩＣＬＩＤ信号を送信することができない場合）、サーバーはＵＭＳに警告を発し、そのアナウンスはＵＭＳのユーザに対し、ＵＭＳが現在接続されているジャックの電話番号を入力するよう要請する。
【００１２】
切断されると、地上線検出器５２は４８Ｖのパワーが存在しなくなるような変化を検出し、直ちにＵＭＳによるセルラ登録プロセスを開始する。遠隔地のセルラＵＭＳ１を確保するために用いられるビジター位置登録装置２６は、ホーム位置登録装置（ＨＬＲ）２５にその登録を通知する。スタンドアローンのＨＬＲ２５は、無線インテリジェントネットワーク２７を介してアクセスされる。ＨＬＲはＭＳＣ内に組み込まれている場合にはそれはＭＳＣを介してアクセスされる。
【００１３】
ＭＳＣの顧客のＨＬＲは、ＭＳＣによるセルラ登録を認識するように機能し、そして登録の場合にはＵＭＳ顧客の隠れたセルラ電話番号をホーム地上線交換器１０に転送してＵＭＳへの来入呼びは自動的にＵＭＳに転送されるようになる。ＨＬＲは有線交換器への来入呼びについては感知しないので（通知されて（相談を受けて）いないので）、有線交換器は来入呼びをその装置に転送するためには、ＵＭＳの隠れたセルラ電話番号の記録を保有しなければならない。
【００１４】
ＵＭＳが例えば外国にある場合、そして８００番の番号を介してサーバーにアクセスできない場合には、ＵＭＳはある合意したアクセス番号を介してサーバーを呼び出すことにより登録することができ、そしてその場合、プロンプトに応じて適宜のデータを入力する。ＵＭＳ移動識別番号のデータは、ファンクションキーの使用により与えられる。
【００１５】
図１は、ＵＭＳ１の詳細を示す。有線接続においては、ＵＭＳ１はライン９に接続されたジャックにプラグインすることのできるラインインタフェース５１を有する。ラインインタフェース５１はハイブリッド５４に接続され、その出力はイヤホン５５に接続され、その入力はマイクロホン５６に接続されている。ラインインタフェース５１はまた地上線検出器５２に接続され、地上線パーワーの存在を検出する。地上線検出器５２は交換器５３を制御する。交換器５３が動作状態にあるときには、ハイブリッド５４はマイクロホン５６とイヤホン５５に接続されている。
【００１６】
交換器５３が開放されている場合には、イヤホン５５とマイクロホン５６は無線受信機５８と無線送信機５９にそれぞれ接続されている。無線受信機５８と無線送信機５９は、アンテナ６０に接続され、このアンテナ６０が無線リンク１９を介してＭＳＣ１３と通信する。ＵＭＳ１はマイクロプロセッサ６１により制御され、このマイクロプロセッサ６１はＵＭＳ１の識別番号を記憶する。マイクロプロセッサ６１はトーン生成器５７を制御し、このトーン生成器５７を用いて二重トーンマルチ周波数（Dual-Tone-Multi-Frequency （ＤＴＭＦ））信号をサーバー３０に送信する。マイクロプロセッサ６１はハイブリッド５４に接続されたトーン検出器６２を介して信号を受信する。
【００１７】
顧客が組み合わされたセルラ／地上線局を用いない場合には、アンテナ６０と無線送信機５９と無線受信機５８を取り除くことができる。交換器５３を取り除いてイヤホン５５とマイクロホン５６をハイブリッド５４に固定接続することもできる。
【００１８】
図２はＵＭＳが地上線ジャックにプラグインされたときに行われる動作を表すフローチャート図である。ＵＭＳが地上線ジャックにプラグインされると（ステップ２００）、４８Ｖのパワーを検出し（ステップ２０１）、自動的にダイヤルトーンを受領するまで待機する（ステップ２０２）。ＵＭＳは自動的に（あるいは手動で）、サーバーを呼び出す（ステップ２０３）。サーバーが応答すると、ＵＭＳはその移動識別番号を送信する。選択的事項としてパスワードの手順を用いることができる。この場合、パスワードは、電話機に登録されているかあるいは加入者が入力しなければならないものである。
【００１９】
サーバーは、ＵＭＳの移動識別番号を受領する（ステップ２０４）。ＩＣＬＩＤが与えられた場合には、サーバーは発呼ジャックのＩＣＬＩＤを受け入れる（ステップ２０６）。ＩＣＬＩＤが与えられない場合には、サーバーは発呼ジャックの電話番号を要求しＵＭＳのユーザはこの電話番号を与える（ステップ２０８）。その後、サーバーはジャックの電話番号をホームＵＭＳサービス交換器に転送する（ステップ２１０）。その後、ＵＭＳへの来入呼びは、最初にホーム有線交換器に経路指定され、そしてＵＭＳがプラグインされているジャックの電話番号に転送される（ステップ２１２）。
【００２０】
ＵＭＳがプラグインされていない場合（図３のステップ３００）、これはＵＭＳの４８Ｖを検出器が検出する。ＵＭＳは直ちに移動局の識別番号の転送を含む登録手続きを開始する（ステップ３０２）。ＵＭＳがホーム領域内に存在しない場合には、図１のビジター位置登録装置２６のようなＶＬＲがＵＭＳに割り当てられる（ステップ３０４）、そしてＶＬＲは、あるいはＭＳがホーム領域内にいる場合にはホームＭＳＣはＨＬＲにＵＭＳの位置を通知する（ステップ３０４）。
【００２１】
ＵＭＳの移動識別番号に対応するシークレットセルラ電話番号を知っているＨＬＲは、ホーム有線交換器に対しＵＭＳへの全ての呼びをＵＭＳの隠れたセルラ電話番号に転送するよう通知する（ステップ３０８）。その後、ＵＭＳへの全ての呼びは最初はホーム有線交換器に向けられるが、その後ワイヤレス電話ネットワークを介してその隠れた電話番号により特定されＶＬＲにより位置が指定されたＵＭＳへ転送する（ステップ３１０）。
【図面の簡単な説明】
【図１】本発明の基本的構成を表すブロック図
【図２】ＵＭＳが地上線のジャックに接続されたときに行われる動作を表すフローチャート図
【図３】ＵＭＳが地上線のジャックから切り離されたときに行われる動作を表すフローチャート図
【符号の説明】
１  ユニバーサルメインステーション
９  ライン
１０  ホーム地上線交換器
１１  ホーム移動交換器センタ
１２  遠隔地上線交換器
１３  遠隔移動交換センタ  遠隔ＭＳＣ
１９  無線リンク
２０  音声公衆交換電話ネットワーク（ＰＳＴＮ）
２１  ＳＳ７信号ネットワーク
２５  ホーム位置登録装置
２６  ビジター位置登録装置
２７  無線インテリジェントネットワーク
３０  サーバー
５１  ラインインタフェース
５２  地上線パワー検出器
５３  交換器
５４  ハイブリッド
５５  イヤホン
５６  マイクロホン
５７  トーン生成器
５８  無線受信機
５９  無線送信機
６０  アンテナ
６１  マイクロプロセッサ
６２  トーン検出器
２００  ユニバーサルメインステーション（ＵＭＳ）が地上線ジャックに接続される
２０１  ＵＭＳが４８ボルトのパワーを検出する
２０２  ＵＭＳがダイアルトーンを受信する
２０３  ＵＭＳがサーバーを呼び出す
２０４  サーバーが応答するとＵＭＳは移動局識別番号（ＭＩＮ）を送信する
２０５  サーバーがＭＩＮを受け入れる
２０６  認証されるとサーバーはＵＭＳから来入発呼者ライン識別子（ＩＣＬＩＤ）を受け入れる
２０８  ＩＣＬＩＤが提供されなかった場合にはサーバーはＵＭＳユーザに対し発呼者ジャックのＩＣＬＩＤを提供するようプロンプトする
２１０  サーバーがＩＣＬＩＤをホーム地上線交換器に転送する
２１２  その後来入呼びは、ＩＣＬＩＤにより特定されたジャックへ転送されるホーム地上線交換器に経路指定される
３００  ＵＭＳが切断される
３０１  ４８Ｖ検出器が切断を認識する
３０２  ＵＭＳは移動識別番号の送信を含むワイヤレス登録を開始する
３０３  必要によってはＶＬＲがＵＭＳに割当てられる
３０４  ＶＬＲはＵＭＳの位置のＨＬＲを通知する
３０５  ＶＬＲはＨＬＲにＵＭＳの位置を通知する
３０７  ＨＬＲにＵＭＳの位置が通知される
３０８  ＨＬＲはホームＭＳＣに通知して呼びを隠れたホームＵＭＳセルラディレクトリ番号に転送する
３１０  ＵＭＳへの後続の呼びはホーム地上線交換器にルーティングされ、これによりワイヤレスネットワークにより隠れたＵＭＳセルラディレクトリ番号にルーティングされる
【図１】
0004445138.tif 000002
【図２】
0004445138.tif 000003
【図３】
0004445138.tif 000004